(57)【要約】【課題】  乗り降りにおいてドアの開閉は通常一般的な程度でよく、無理な姿勢をとることなく乗り降りを容易に行うことができ、年配の方，妊娠中の女性，身体に不都合のある方などへ高い配慮があり乗り降りする際のアクセス性に優れた車両の後部座席を提供すること【解決手段】  後部座席の座部１に、着座した尻部を横長手方向へ移動が行える状態に支持する横移動支持手段２を備える。横移動支持手段２は、細長い棒状のローラ３を有し、ローラ３は多数を横並びに配列させてそれぞれ回転可能に支持し、当該横並びローラ列が座部１の座面に露出する構成にする。横並びローラ列は枠体４に支持し、座部１の座面に取り外し可能に設置する。ローラ３は、外周表面をゴムやスポンジ等の弾性部材で覆い、搭乗者の尻部に対するあたりをソフトにし、すわり心地を良好に保つ。【選択図】        図１
2010162286.tif 000002
【特許請求の範囲】
【請求項１】
運転席の後方に設置する横長ベンチタイプの後部座席であって、前記後部座席の座部に、着座した尻部を横長手方向へ移動が行える状態に支持する横移動支持手段を備えることを特徴とする車両の後部座席。
【請求項２】
前記横移動支持手段は、細長い棒状のローラを有し、前記ローラは多数を横並びに配列させてそれぞれ回転可能に支持し、当該横並びローラ列が前記座部の座面に露出することを特徴とする請求項１に記載の車両の後部座席。
【請求項３】
前記横並びローラ列には全体にベルトを巻き回して周回する状態とし、当該ベルトが前記座部の座面に露出することを特徴とする請求項２に記載の車両の後部座席。
【請求項４】
前記ローラは短い棒体を複数連結し、それら互いの連結が角度の自由度を有した自在継手であることを特徴とする請求項２あるいは３の何れか１項に記載の車両の後部座席。
【請求項５】
前記ローラは球体を多数連結し、それら互いの連結が角度の自由度を有した自在継手であることを特徴とする請求項２あるいは３の何れか１項に記載の車両の後部座席。
【請求項６】
前記横並びローラ列を一時的に回転不能とする固定手段を設け、前記横並びローラ列を回転可能状態と回転不能状態とに切り替え可能としたことを特徴とする請求項２から５のいずれか１項に記載の車両の後部座席。
【請求項７】
前記横移動支持手段は、前記座部の座面に埋め込み設けることを特徴とする請求項１から６の何れか１項に記載の車両の後部座席。
【請求項８】
前記横移動支持手段は、前記横並びローラ列を枠体に支持し、前記座部の座面に設置することを特徴とする請求項１から６の何れか１項に記載の車両の後部座席。
【請求項９】
前記ローラの外周表面は、弾性部材で覆われていることを特徴とする請求項１から８のいずれか１項に記載の車両の後部座席。
【請求項１０】
請求項１〜９のいずれかに記載の、横移動支持手段を備えた車両の後部座席用補助具。
【発明の詳細な説明】
【技術分野】
【０００１】
本発明は、車両の後部座席に関するもので、より具体的には、運転席の後方に設置する横長ベンチタイプの後部座席について乗り降りのアクセス性の改良に関する。
【背景技術】
【０００２】
車両の後部座席は、一般に横長ベンチタイプの構成を採っている。例えば、乗用車等では、前列は運転席，助手席の２つを並べて設置するセパレートタイプの構成にするが、後列の後部座席は３人掛けの横長ベンチタイプの構成にすることが多く、これはタクシー等も同様である。
【０００３】
車両の後部座席が横長ベンチタイプの構成では、乗り降りする際のアクセス性に不都合が生じることがある。つまり、ドアに一番近い手前部分に着座するのであればさほど不自由はないが、搭乗者が複数の場合、先に乗車する者はドア手前側から奥側へ移動しなければならず、その移動中は、頭を下げた中腰の姿勢をとるため無理な姿勢で身体に負担が大きい。これは特に年配の方や妊娠中の女性など、あるいはまた身体に不都合のある方にとっては苦痛が大きく危険でもある。このため、後部座席に乗り降りする際のアクセス性を改善したいという要求があり、例えば特許文献１などに見られるような技術の提案がある。
【０００４】
特許文献１では、後部座席にスライドレールを設けるとともに、車体側には対応させてガイドレールを配置して後部座席そのものを横移動させる構成を採っている。そして、ドアを開けた車外に後部座席を引き出すことで乗り降りが楽に行えると述べている。
【先行技術文献】
【特許文献】
【０００５】
【特許文献１】実登第３０５１９２７号公報
【発明の概要】
【発明が解決しようとする課題】
【０００６】
しかし、上述したような後部座席を車外に引き出す構成では、ドアを開けた車外に相当に広い領域を確保する必要があり、後部座席の引き出しが可能となる広い領域を必ずしも確保できない問題がある。つまり、広い駐車場で必ずしも乗り降りするとは限らず、路肩に寄せて停車して乗り降りを行うことも多いと言えるので、ドアを大きく開けることができない場合も多く、乗り降りに際して後部座席の引き出しそのものが不可能では役に立たないという課題がある。
【０００７】
なお、路肩に寄せて停車した際に、広い領域を確保し得る車道側ドアを開ける考えもあるが、多くの車両が往来する車道側でドアを開閉して乗り降りを行うことは安全面から論外と言える。
【課題を解決するための手段】
【０００８】
上述した課題を解決するために、本発明の車両の後部座席は、（１）運転席の後方に設置する横長ベンチタイプの後部座席であって、後部座席の座部に、着座した尻部を横長手方向へ移動が行える状態に支持する横移動支持手段を備えた構成にする。
【０００９】
（２）横移動支持手段は、細長い棒状のローラを有し、ローラは多数を横並びに配列させてそれぞれ回転可能に支持し、当該横並びローラ列が座部の座面に露出する構成にするとよい。この場合において、個々のローラは、１本の長い棒体から構成してもよいし、複数の部材（円筒状の棒体，球体等）を連結して構成してもよい。
【００１０】
（３）横並びローラ列には全体にベルトを巻き回して周回する状態とし、当該ベルトが座部の座面に露出する構成にするとよい。
【００１１】
（４）ローラは短い棒体を複数連結し、それら互いの連結が角度の自由度を有した自在継手である構成にするとよい。（５）ローラは球体を多数連結し、それら互いの連結が角度の自由度を有した自在継手である構成にするとよい。
（６）前記横並びローラ列を一時的に回転不能とする固定手段を設け、前記横並びローラ列を回転可能状態と回転不能状態とに切り替え可能とするとよい。
【００１２】
（７）横移動支持手段は、座部の座面に埋め込み設ける構成にすることができる。（８）横移動支持手段は、横並びローラ列を枠体に支持し、座部の座面に設置する構成にすることもできる。
（９）前記ローラの外周表面は、ゴムやスポンジ等の弾力性を有する弾性部材で覆われる構成にするとよい。
【００１３】
（１０）本発明の車両の後部座席用補助具は、（１）〜（９）のいずれかに記載の横移動支持手段を備えて構成することができる。
【００１４】
本発明では、後部座席の座部に、着座した尻部を横長手方向へ移動が行える状態に支持する横移動支持手段を備えるので、着座した尻部を横長手方向へ移動が行える。つまり、座部の座面は横並びローラ列が露出しているので、搭乗者は、乗車する際はドアに一番近い手前部分に着座すればよく、横並びローラ列においてローラがそれぞれ回転動作するので、着座したそのままで尻部つまり身体を奥側へ移動でき、無理な姿勢をとることなく容易に乗車することができる。そして逆に降車する際も同様に、横並びローラ列においてローラがそれぞれ回転動作するので、着座したそのままで尻部（身体）をドア側手前へ移動でき、したがって無理な姿勢をとることなく容易に降車することができる。
【００１５】
また、（３）の発明によれば、搭乗者はベルトの上に着座することになるので、尻部に対するあたりをよりソフトにすることができ、すわり心地を良好に向上できる。さらに、（４），（５）の発明によれは、連結する球体（棒体）の角度が自在継手により任意に変更可能であるので、着座した尻部にフィットする形態となるので、座り心地がよくなる。（６）の発明によれば、このようにすれば、走行中に不用意に横方向に身体が動いてしまうのを防止できる。また（８）の発明によれは、弾性部材であるのでクッション性が良好となり、座り心地が増す。
【発明の効果】
【００１６】
本発明では、後部座席の座部に、着座した尻部を横長手方向へ移動が行える状態に支持する横移動支持手段２を備えるので、着座した尻部を横長手方向へ移動が行える。このとき、乗り降りにおいてドアの開閉は通常一般的な程度でよく、無理な姿勢をとることなく乗り降りを容易に行うことができる。その結果、年配の方，妊娠中の女性，身体に不都合のある方などへ高い配慮があり乗り降りする際のアクセス性に優れると言える。
【図面の簡単な説明】
【００１７】
【図１】本発明に係る車両の後部座席の好適な一実施の形態を示す斜視図である。
【図２】横移動支持手段の他例の斜視図であり、ローラおよびベルトの部分のみを示している。
【図３】ローラの他例１の斜視図であり、（ａ）は着座がない無荷重の状態、（ｂ）は着座による荷重がある状態を示している。
【図４】ローラの他例２の斜視図であり、（ａ）は着座がない無荷重の状態、（ｂ）は着座による荷重がある状態を示している。
【発明を実施するための形態】
【００１８】
図１は本発明の好適な一実施形態を示している。本実施形態において、車両の後部座席は、運転席の後方に設置する横長ベンチタイプの後部座席であって、後部座席の座部１に、着座した尻部を横長手方向へ移動が行える状態に支持する横移動支持手段２を備える構成になっている。この移動支持手段２が、車両の後部座席用補助具を構成する。
【００１９】
横移動支持手段２は、細長い棒状のローラ３を有し、ローラ３は多数を横並びに配列させてそれぞれ回転可能に支持し、当該横並びローラ列が座部１の座面に露出する構成にしている。本形態では、横並びローラ列は枠体４に支持し、座部１の座面に取り外し可能に設置する構成にしている。もちろん、横移動支持手段２つまり横並びローラ列は、座部１の座面に埋め込み設ける構成にすることもできる。ローラ３は、外周表面をゴムやスポンジ等の弾性部材で覆い、搭乗者の尻部に対するあたりをソフトにしている。このため、すわり心地を良好に保つことができる。
【００２０】
このように、後部座席の座部１には、着座した尻部を横長手方向へ移動が行える状態に支持する横移動支持手段２を備えるので、着座した尻部を横長手方向へ移動が行える。つまり、座部１の座面は横並びローラ列が露出しているので、搭乗者は、乗車する際はドアに一番近い手前部分に着座すればよく、横並びローラ列においてローラ３がそれぞれ回転動作するので、着座したそのままで尻部つまり身体を奥側へ移動でき、無理な姿勢をとることなく容易に乗車することができる。そして逆に降車する際も同様に、横並びローラ列においてローラ３がそれぞれ回転動作するので、着座したそのままで尻部（身体）をドア側手前へ移動でき、したがって無理な姿勢をとることなく容易に降車することができる。このとき、乗り降りにおいてドアの開閉は通常一般的な程度でよく、無理な姿勢をとることなく乗り降りを容易に行うことができる。その結果、年配の方，妊娠中の女性，身体に不都合のある方などへ高い配慮があり乗り降りする際のアクセス性に優れると言える。
【００２１】
横移動支持手段２は、上述した図１の構成に限るものではなく適宜に変更することができる。例えば図２に示すように、横並びローラ列には全体にベルト５を巻き回して周回する状態とし、当該ベルト５が座部の座面に露出する構成にすることもよい。この場合、搭乗者はベルト５の上に着座することになるので、尻部に対するあたりをよりソフトにすることができ、すわり心地を良好に向上できる。
【００２２】
また図３に示すように、ローラ３は短い棒体６を複数連結し、それら互いの連結は角度の自由度を有した自在継手にする構成を採ることも好ましい。この場合、搭乗者の着座がない無荷重では図３（ａ）に示すように棒体６が直線に並び、着座があれば荷重がかかるので図３（ｂ）に示すように、自在継手の部分で角度がつき、尻部にフイットした状態にたわみ湾曲することになる。このため、尻部に対するあたりをソフトにすることができ、すわり心地を良好に向上できる。もちろん、このように短い棒体６を連結してローラ３を構成する場合に、棒体６同士の連結部分を自在継手にすることなく、１本の回転軸に装着する構成を採ってもよい。
【００２３】
あるいは図４に示すように、ローラ３は球体７を多数連結し、それら互いの連結は角度の自由度を有した自在継手にする構成を採ることも好ましい。この場合も、搭乗者の着座がない無荷重では図４（ａ）に示すように球体７が直線に並び、着座があれば荷重がかかるので図４（ｂ）に示すように、自在継手の部分で角度がつき、尻部にフイットした状態にたわみ湾曲することになる。このため、尻部に対するあたりをソフトにすることができ、すわり心地を良好に向上できる。
【００２４】
さらにまた、具体的な図示は省略するが、ローラ３を一時的に回転不能とする固定機構（回転停止機構・ブレーキ手段）を設けるとよい。このようにすると、自動車への乗り降りの際には固定機構によりローラ３の回転をロックせず回転可能状態にすれば、上述したように簡単にシートの奥に対する移動が行える。そして、乗車後は固定機構によりローラ３を回転不能にすることで、横方向に身体が不用意に移動することが抑止できる。この固定機構は、たとえば、ローラ３の回転軸を挟み込み、摩擦力を利用して回転不能にしたり、ストッパーでフリー回転を抑止するなどのほか、各種の機構を採ることができる。
【符号の説明】
【００２５】
１  座部
２  横移動支持手段
３  ローラ
４  枠体
５  ベルト
６  棒体
７  球体
【図１】
2010162286.tif 000003
【図２】
2010162286.tif 000004
【図３】
2010162286.tif 000005
【図４】
2010162286.tif 000006